(57)【要約】【課題】  テーブルの回転のロックと解除とを簡単な構造で可能とする。【解決手段】  ベース２の後方には、ロックレバー６が段付ネジ２２によって回転可能且つ上方のロック位置への付勢状態で軸着されて、マイタソーでのテーブル３の回転位置では、ロックレバー６の係合角部３０がテーブル３に設けたストッパネジ２９に係合してテーブル３の回転規制を行い、テーブルソーでのテーブル３の回転位置では、ロックレバー６のフック部２７がテーブル３の他方のストッパネジ２８に係合してテーブル３の回転規制を行う。操作片２６を利用してロックレバー６を下方の解除位置へ押し込めば、テーブル３の何れの回転位置でもストッパネジ２８，２９との係合が解除されてテーブル３の回転が許容される。【選択図】  図５
2006044067.tif 000002
【特許請求の範囲】
【請求項１】
ベースと、そのベース上で１８０°反転可能に支持される水平なテーブルと、そのテーブルの片面側に設けられた支持アームへ上下動可能に支持され、回転駆動する鋸刃を備えた本体と、その本体と前記支持アームとの間に設けられ、前記鋸刃が前記テーブルを貫通する前記本体の下死点で前記本体を固定可能な固定機構とを備え、
前記本体が上側となる前記テーブルの第１の回転位置では、前記本体の下降操作により前記鋸刃で前記テーブル上の被切断材を切断するマイタソーとして使用可能とする一方、前記固定機構により前記本体が下死点で固定された状態で前記本体が下側となる前記テーブルの第２の回転位置では、前記テーブルを貫通して上方へ突出する前記鋸刃に対して被切断材をスライドさせて切断するテーブルソーとして使用可能としたフリップオーバーソーであって、
前記ベースに、前記第１の回転位置での前記テーブルと係合する第１係合部と、前記第２の回転位置での前記テーブルと係合する第２係合部とを備えた１つのロック部材を、前記テーブルの各回転位置に応じて、夫々対応する前記係合部が前記テーブルへ係合するロック位置と、その係合を解除する解除位置とに夫々移動可能に設けたことを特徴とするフリップオーバーソー。
【請求項２】
第１係合部がテーブルに係合するロック部材のロック位置と、第２係合部が前記テーブルに係合する前記ロック部材のロック位置とを同じにして、前記ロック部材を前記ロック位置へ付勢する付勢手段を設けた請求項１に記載のフリップオーバーソー。
【請求項３】
第１係合部及び／又は第２係合部に、テーブルが各回転位置へ移動する際の当接に伴い、ロック部材を解除位置へ退避させて前記テーブルの各回転位置への移動を許容する傾斜案内部を連設した請求項１又は２に記載のフリップオーバーソー。
【発明の詳細な説明】
【技術分野】
【０００１】
本発明は、回転駆動する鋸刃を備えた本体を上下動可能に支持したテーブルを、ベース上で１８０°反転可能に支持させて、本体を上にしたテーブル位置ではマイタソーとして、本体を下にして鋸刃をテーブル上に突出させたテーブル位置ではテーブルソーとして夫々使用可能としたフリップオーバーソーに関する。
【背景技術】
【０００２】
フリップオーバーソーは、四角台状のベース上に、テーブルをその中間部位を支点として１８０°反転可能に水平支持して、両面何れを上にしても固定可能とする一方、テーブルの片面側に、モータによって回転駆動する鋸刃を備えた本体を上下動可能に軸着して、本体が上になるテーブルの第１の回転位置では、テーブル上に載置した被切断材に対して本体を下降させて切断するマイタソー（卓上丸鋸盤）として使用可能となっている。そして、本体を、鋸刃がテーブルを貫通して下側に突出する下死点でテーブル上に固定し、その状態でテーブルを本体が下になる第２の回転位置とすれば、テーブル上で鋸刃に対して被切断材をスライドさせて切断するテーブルソーとして使用可能となる。
【０００３】
また、テーブルを各回転位置で夫々固定するロック機構としては、特許文献１に示すように、テーブルの側縁に係止ピンを突設する一方、ベースの前後に、テーブルの夫々の反転位置で係止ピンが係止可能な係止部材を、係止ピンとの係止方向へ付勢して設けると共に、係止部材同士を連結バーで連結した構造が知られている。ここでは、マイタソーの場合は、一方の係止部材で係止ピンを支持させてテーブルの回転を規制し、テーブルソーの場合は、一方の係止部材の操作で係止ピンとの係止を解除させてテーブルを反転させ、他方の係止部材で係止ピンを支持させてテーブルの回転を規制するようになっている。
【０００４】
【特許文献１】独国特許発明第４０１９２２２号明細書
【発明の開示】
【発明が解決しようとする課題】
【０００５】
上記ロック機構においては、係止部材が一対設けられる上、両者を連動させる連結バーまで必要となるため、部品点数が多くなって構造が複雑化し、コストアップに繋がる。
【０００６】
そこで、請求項１に記載の発明は、テーブルの回転ロックとその解除とを簡単な構造で実現できるフリップオーバーソーを提供することを目的としたものである。
【課題を解決するための手段】
【０００７】
上記目的を達成するために、請求項１に記載の発明は、ベースに、第１の回転位置でのテーブルと係合する第１係合部と、第２の回転位置でのテーブルと係合する第２係合部とを備えた１つのロック部材を、テーブルの各回転位置に応じて、夫々対応する係合部がテーブルへ係合するロック位置と、その係合を解除する解除位置とに夫々移動可能に設けたことを特徴とするものである。
請求項２に記載の発明は、請求項１の目的に加えて、ロック部材の操作性やロックの信頼性を向上させるために、第１係合部がテーブルに係合するロック部材のロック位置と、第２係合部がテーブルに係合するロック部材のロック位置とを同じにして、ロック部材をロック位置へ付勢する付勢手段を設けたものである。
請求項３に記載の発明は、請求項１又は２の目的に加えて、ロック部材の操作性を向上させるために、第１係合部及び／又は第２係合部に、テーブルが各回転位置へ移動する際の当接に伴い、ロック部材を解除位置へ退避させてテーブルの各回転位置への移動を許容する傾斜案内部を連設したものである。
【発明の効果】
【０００８】
請求項１に記載の発明によれば、１つのロック部材の操作のみでテーブルの各回転位置でのロックとその解除とが可能となる。よって、テーブルの回転ロックに係る構成が簡略化してコストアップが少なくて済む。
請求項２に記載の発明によれば、請求項１の効果に加えて、テーブルのロック解除が何れの回転位置からであっても同一操作で行え、操作性が良好となる。また、付勢手段により解除位置からロック位置へ確実に復帰するため、ロックのし忘れがなくなって信頼性も高くなる。
請求項３に記載の発明によれば、請求項１又は２の効果に加えて、テーブルが各回転位置へ移動する際に自動的にロック部材が退避するので、テーブルとの干渉防止に係るロック部材の操作の手間が省けてより操作性が向上する。
【発明を実施するための最良の形態】
【０００９】
以下、本発明の実施の形態を図面に基づいて説明する。
図１は、フリップオーバーソーの一例を示す全体図、図２はその平面図で、フリップオーバーソー１は、平面矩形状の台であるベース２と、ベース２の上部に設けられるテーブル３と、テーブル３に設けられる鋸刃ユニット４とからなる。テーブル３は、左右方向（図１，２での右側を前方とする）の回転軸５，５を中心に１８０°反転可能に支持され、ベース２に設けられたロック部材としてのロックレバー６により、後述するようにテーブル３の両面何れを上にしても水平状態で固定可能となっている。また、テーブル３には、円形のターンテーブル７が水平回転可能に設けられると共に、そのターンテーブル７上を横切る格好で回転軸５，５と平行にガイドフェンス８が立設されている。
【００１０】
鋸刃ユニット４は、ターンテーブル７の後方に立設された支持アーム９と、その支持アーム９の上端で支軸１０によって上下動可能に支持される本体１１とを備え、本体１１のハウジングとなるブレードカバー１２の左側方には、モータ１３とハンドル１４とが設けられて、ブレードカバー１２内に、モータ１３によって回転駆動する円盤状の鋸刃１５が設けられている。また、本体１１は、支軸１０に設けた図示しないトーションスプリングによって、図１の上死点へ付勢されており、ハンドル１４を保持して下方へ押し下げることで、図３に示すように、本体１１を、鋸刃１５がターンテーブル７の中央に設けた図示しないスリットを貫通する下死点まで下降させて、回転する鋸刃１５によってターンテーブル７上の被切断材を切断可能となる。すなわち、マイタソーとして使用することができる。１６は、本体１１の上死点では鋸刃１５を覆う位置にあり、本体１１の下降に伴って回転して鋸刃１５を露出させる安全カバーである。
【００１１】
さらに、支持アーム９は、ターンテーブル７上で本体１１ごと右方向へ傾倒可能となっており、任意の傾倒位置でレバー１７によって固定することで、鋸刃１５に垂直方向の角度を付与可能となっている。この本体１１の傾倒により、ターンテーブル７上の被切断材に対して傾斜切断が行える。加えて、ターンテーブル７は、ハンドル１４を把持して旋回操作することで、本体１１と共に水平回転が可能となる。このターンテーブル７の水平回転角度の選択により、鋸刃１５がガイドフェンス８と直交する直角切断位置と、そこから水平方向で傾斜する角度切断とが可能となる。
一方、本体１１は、支持アーム９と本体１１との間に設けられた固定機構１８により、下死点で固定することができ、この固定状態でテーブル３を反転させれば、図４に示すように、鋸刃１５のみをテーブル３の上方へ突出させて、テーブル３上で被切断材をスライドさせて切断を行うテーブルソーとして使用可能となる。
【００１２】
ここで、テーブル３の回転軸５，５は、マイタソーの状態でテーブル３よりも上方に設置されていることから、図１〜３に示す第１の回転位置（マイタソー状態）と、図４に示す第２の回転位置（テーブルソー状態）とではテーブル３の高さが異なることになる（テーブルソーの方が高くなる）。また、テーブル３の回転を許容すべく前後方向に形成されたベース２中央の開口部１９において、その左右の内縁には、前方側に、第１の回転位置でテーブル３の下面を支持する一対の第１ストッパゴム２０，２０が突設される一方、後方側に、第１の回転位置でのテーブル３の上方にあって、第２の回転位置でテーブル３の下面を支持する一対の第２ストッパゴム２１，２１が突設されている。よって、テーブル３は、マイタソーからテーブルソーへ切り替える際には、前方側を上方へ跳ね上げる方向（図３の矢印方向）でのみ回転でき、テーブルソーからマイタソーへ切り替える際には、後方側を上方へ跳ね上げる方向（図４の矢印方向）でのみ回転できることになる。なお、回転軸５，５は、テーブル３の前後方向の中心ではなく、第１の回転位置でやや後方寄りとなるように配置されていることから、マイタソーからテーブルソーへ切り替える際にテーブル３が第１ストッパゴム２０，２０に干渉することはない。
【００１３】
そして、ロックレバー６は、図５にも示すように、開口部１９後方の左側でベース２とテーブル３との間に納まるように前後方向に配置されるプレート体で、前方下端の角部位置で段付ネジ２２によってベース２へ回転可能に軸着される。但し、段付ネジ２２を中心として形成された円弧状のスリット２３に、ベース２に螺合される段付ネジ２４が貫通することで、ロックレバー６は、スリット２３内を段付ネジ２４が相対的に移動する範囲でのみ回転が許容されている。また、ロックレバー６は、一端をベース２に、他端をロックレバー６に夫々係止させた付勢手段としてのトーションスプリング２５によって、常態では、段付ネジ２４がスリット２３の下端に位置する上方のロック位置（図５に実線で示す）に付勢されている。２６は、ロックレバー６の上縁でベース２の外面側へ直角に折曲形成された操作片で、この操作片２６の後方には、先端が上側へ折り返され、その折り返し部の上端に、前方へ行くに従って下方へ直線状に傾斜する傾斜案内部３１を連設したフック部２７が形成されている。
【００１４】
一方、テーブル３におけるロックレバー６側の側縁には、前後にストッパネジ２８，２９が螺合されて、テーブル３の回転に伴ってロックレバー６と干渉するようになっているが、前述したテーブル３の回転軸５の位置設定により、ストッパネジ２８，２９の回転半径（移動軌跡）が異なる。すなわち、テーブル３の第１の回転位置では、図２，３及び５に示すように、一方のストッパネジ２９はロックレバー６の前方上縁に形成された第１係合部としての係合角部３０に上方から係合し、第２の回転位置では、図４及び図５に示すように、他方のストッパネジ２８はロックレバー６の第２係合部としてのフック部２７に係合することになる。そして、各回転位置で操作片２６を押圧してロックレバー６をトーションスプリング２５の付勢に抗して押し下げ（図５で左回転）操作すれば、ロックレバー６は、夫々ストッパネジ２８，２９との干渉が同時に解除される解除位置（図５の二点鎖線）へ移動する。なお、係合角部３０の前縁には、ロックレバー６のロック位置で下方へ行くに従って後方へ直線状に傾斜する傾斜案内部３２が連設されている。
【００１５】
以上の如く構成されたフリップオーバーソー１においては、マイタソーとなる図１〜３のテーブル３の第１の回転位置では、テーブル３の前方下面が第１ストッパゴム２０，２０に支持されると共に、テーブル３の後方のストッパネジ２９がロックレバー６の係合角部３０に係合して支持されるため、テーブル３は回転が規制され、水平姿勢を維持する。よって、この状態でハンドル１４を把持して鋸刃１５を回転させながら本体１１を下降させれば、ターンテーブル７上にセットした被切断材を切断可能となり、本体１１の傾動で傾斜切断が、ターンテーブル７の水平回転で角度切断が夫々行える。
【００１６】
一方、テーブルソーとして使用する場合、まず本体１１を下死点まで下降させ、固定機構１８によってロックする。次に、ロックレバー６の操作片２６を下方へ押圧してロックレバー６を解除位置へ押し下げる。すると、図３，５に二点鎖線で示すように、係合角部３０がストッパネジ２９の下方位置から後方へ待避してストッパネジ２９の下降を許容する。よって、そのままテーブル３の前方部を跳ね上げて第２の回転位置へ１８０°反転させることができる。ここでロックレバー６の押し下げを解除すると、ロックレバー６は再びロック位置へ復帰する。
【００１７】
そして、反転終了直前には、テーブル３の他方のストッパネジ２８がロックレバー６の上方からフック部２７の傾斜案内部３１に当接するが、そのままテーブル３の後方部を下方へ押し込むと、傾斜案内部３１のガイドにより、ストッパネジ２８がロックレバー６を押し下げてテーブル３の回転を許容し、テーブル３を後方の第２ストッパゴム２１，２１に当接させる。すると、傾斜案内部３１が離反してストッパネジ２８による押圧を解かれたロックレバー６がトーションスプリング２５の付勢でロック位置へ回転し、フック部２７をストッパネジ２８に係合させる。よって、テーブル３はロックレバー６で回転規制されて水平姿勢を維持し、テーブルソーとして使用可能となる。
【００１８】
なお、テーブルソーから再びマイタソーに戻す場合は、操作片２６を押し下げてロックレバー６を回転させれば、フック部２７によるストッパネジ２８への係合が解除されるため、そのままテーブル３の後方部を跳ね上げて１８０°反転させることができる。反転終了直前には、ストッパネジ２９がロックレバー６の係合角部３０の傾斜案内部３２に下方から当接するが、ここでテーブル３の前方部を下方へ押し込むと、傾斜案内部３２のガイドにより、ストッパネジ２９がロックレバー６を押し除ける格好で一旦図５での左回転させて係合角部３０の上方に移動して、テーブル３の回転を許容し、テーブル３を前方の第１ストッパゴム２０，２０に当接させる。よって、図３の回転位置に復帰してマイタソーとして使用可能となる。
【００１９】
このように、上記形態のフリップオーバーソー１によれば、ベース２に、第１の回転位置でのテーブル３と係合する係合角部３０と、第２の回転位置でのテーブル３と係合するフック部２７とを備えた１つのロックレバー６を、テーブル３の各回転位置に応じて、夫々対応する係合角部３０及びフック部２７がテーブル３へ係合するロック位置と、その係合を解除する解除位置とに夫々移動可能に設けたことで、１つのロックレバー６の操作のみでテーブル３の各回転位置でのロックとその解除とが可能となる。よって、テーブル３の回転ロックに係る構成が簡略化してコストアップが少なくて済む。
【００２０】
特にここでは、係合角部３０がテーブル３に係合するロックレバー６のロック位置と、フック部２７がテーブル３に係合するロックレバー６のロック位置とを同じにして、ロックレバー６をそのロック位置へ付勢する付勢手段を設けているため、テーブル３のロック解除が何れの回転位置からであっても操作片２６を押し下げる同一操作で行え、操作性が良好となる。また、付勢手段により解除位置からロック位置へ確実に復帰するため、ロックのし忘れがなくなって信頼性も高くなる。
また、係合角部３０及びフック部２７に、テーブル３が各回転位置へ移動する際の当接に伴い、ロックレバー６を解除位置へ退避させてテーブル３の各回転位置への移動を許容する傾斜案内部３１，３２を連設したことで、テーブル３が各回転位置へ移動する際に自動的にロックレバー６が退避する。よって、テーブル３との干渉防止に係るロックレバー６の操作の手間が省けてより操作性が向上する。
【００２１】
なお、ロック部材とテーブルとの係合は、上記形態の構造に限らず、例えば第１係合部と第２係合部とを何れもフック形状としたり、ストッパネジに代えてテーブルにリング体やフック、透孔を設けたりする等、ロック部材の係合部とテーブル側の被係合部との構造は適宜設計変更可能である。また、傾斜案内部の形状も上記直線状に限らず、膨出状や湾曲状の傾斜としても良いし、第１係合部と第２係合部との何れか一方にのみ設けても良い。勿論省略することも可能である。
さらに、ロック部材の構造も、中央部位で軸着したり、棒状体としたり等の形状変更をして差し支えないし、直線的なスライドでロック位置と解除位置とを移動可能に設けても良い。さらに、付勢手段としては、コイルバネや板バネも採用でき、逆に付勢手段をなくして、ロック位置と解除位置とを手動で切替操作する態様も考えられる。
【００２２】
一方、ベースにおけるテーブルの側方でロック部材を係脱させる構造に限らず、テーブルの前方や後方にロック部材を配置して係脱させるようにしても良い。
また、上記形態では、第１係合部となる係合角部３０と第２係合部となるフック部２７とがテーブル３に係合するロックレバー６のロック位置を夫々同じにしているが、係合部の位置や形状等によっては、係合とその解除との移動方向を係合部ごとに変えることも考えられる。
【００２３】
その他、フリップオーバーソー自体の構造も上記形態に限らず、テーブルが第１、第２の回転位置で高さが変わらない構造や、本体が左右両方へ傾動できる構造、傾斜切断や角度切断ができない構造等であっても本発明自体は適用可能である。
【図面の簡単な説明】
【００２４】
【図１】フリップオーバーソーの全体図である（マイタソー状態）。
【図２】フリップオーバーソーの平面図である。
【図３】マイタソー状態を示す説明図である。
【図４】テーブルソー状態を示す説明図である。
【図５】ベースにおけるロックレバー部分の説明図（上が平面、下が側面を示す）である。
【符号の説明】
【００２５】
１‥フリップオーバーソー、２‥ベース、３‥テーブル、４‥鋸刃ユニット、６‥ロックレバー、７‥ターンテーブル、９‥支持アーム、１０‥支軸、１１‥本体、１２‥ブレードカバー、１５‥鋸刃、１９‥開口部、２０‥第１ストッパゴム、２１‥第２ストッパゴム、２２，２４‥段付ネジ、２７‥フック部、２８，２９‥ストッパネジ、３０‥係合角部、３１，３２‥傾斜案内部。
【図１】
2006044067.tif 000003
【図２】
2006044067.tif 000004
【図３】
2006044067.tif 000005
【図４】
2006044067.tif 000006
【図５】
2006044067.tif 000007